(57)【要約】【課題】監視カメラの一部をマスクするシステムにおける利便性を向上させることができる監視システム、監視方法、およびプログラムを提供すること。【解決手段】実施形態の監視システムは、取得部と、抽出部と、暗号化処理部と、生成部と、を持つ。取得部は、提示された入力対象情報を入力端末に入力する作業エリアを撮像する一以上の監視カメラから、前記監視カメラにより撮像された撮像画像を取得する。抽出部は、前記取得部により取得された前記撮像画像の中から前記入力対象情報を抽出する。暗号化処理部は、前記抽出部により抽出された前記入力対象情報を暗号化する。生成部は、前記取得部により取得された前記撮像画像に対して、前記暗号化処理部により暗号化された情報を表示する部分画像を前記入力対象情報の位置に表示して、前記入力対象情報を視認不能とした置換画像を生成する。【選択図】図３
2020031280.tif 000002
【特許請求の範囲】
【請求項１】
提示された入力対象情報を入力端末に入力する作業エリアを撮像する一以上の監視カメラから、前記監視カメラにより撮像された撮像画像を取得する取得部と、
前記取得部により取得された前記撮像画像の中から前記入力対象情報を抽出する抽出部と、
前記抽出部により抽出された前記入力対象情報を暗号化する暗号化処理部と、
前記取得部により取得された前記撮像画像に対して、前記暗号化処理部により暗号化された情報を表示する部分画像を前記入力対象情報の位置に表示して、前記入力対象情報を視認不能とした置換画像を生成する生成部と、
を備える監視システム。
【請求項２】
提示された入力対象情報を入力端末に入力する作業エリアを撮像する一以上の監視カメラから、前記監視カメラにより撮像された撮像画像を取得する取得部と、
前記取得部により取得された前記撮像画像の中から前記入力対象情報を抽出する抽出部と、
前記抽出部により抽出された前記入力対象情報を暗号化する暗号化処理部と、
前記取得部により取得された前記撮像画像に対して、前記暗号化処理部により暗号化された情報を復号するための鍵情報を表示する部分画像を前記入力対象情報の位置に表示して、前記入力対象情報を視認不能とした置換画像を生成する生成部と、
を備える監視システム。
【請求項３】
前記監視カメラにより撮像された前記撮像画像を記憶部に格納させ、
前記生成部により前記置換画像が生成された場合、前記撮像画像に替えて前記置換画像を前記記憶部に格納させるデータ管理部をさらに備える、
請求項１または２に記載の監視システム。
【請求項４】
前記監視カメラにより撮像された前記撮像画像を表示装置に表示させ、
前記生成部により前記置換画像が生成された場合、前記撮像画像に替えて前記置換画像を前記表示装置に表示させる表示制御部をさらに備える、
請求項１から３のうちいずれか一項に記載の監視システム。
【請求項５】
前記抽出部により抽出された前記入力対象情報が、既に前記暗号化処理部により暗号化された前記入力対象情報と合致するか否かを判定する判定部を更に備え、
前記生成部は、前記判定部により合致すると判定された場合、既に前記暗号化処理部により変換された前記視認不能な画像に基づいて、前記置換画像を生成する、
請求項１から４のうちいずれか一項に記載の監視システム。
【請求項６】
前記暗号化処理部は、所定の切り替えタイミングに到達した場合、前記撮像画像を暗号化するアルゴリズムを変更する、
請求項１から５のうちいずれか一項に記載の監視システム。
【請求項７】
コンピュータが、
提示された入力対象情報を入力端末に入力する作業エリアを撮像する一以上の監視カメラから、前記監視カメラにより撮像された撮像画像を取得し、
取得された前記撮像画像の中から前記入力対象情報を抽出し、
抽出された前記入力対象情報を暗号化し、
前記撮像画像に対して、暗号化された情報を表示する部分画像を前記入力対象情報の位置に表示して、前記入力対象情報を視認不能とした置換画像を生成する、
監視方法。
【請求項８】
コンピュータに、
提示された入力対象情報を入力端末に入力する作業エリアを撮像する一以上の監視カメラから、前記監視カメラにより撮像された撮像画像を取得させ、
取得された前記撮像画像の中から前記入力対象情報を抽出させ、
抽出された前記入力対象情報を暗号化させ、
前記撮像画像に対して、暗号化された情報を表示する部分画像を前記入力対象情報の位置に表示して、前記入力対象情報を視認不能とした置換画像を生成させる、
プログラム。
【発明の詳細な説明】
【技術分野】
【０００１】
本発明の実施形態は、監視システム、監視方法、およびプログラムに関する。
【背景技術】
【０００２】
従来、監視カメラにより撮像された監視画像中に不都合な対象物が映っている場合、監視画像中の不都合な部分をマスクすると共に、マスク領域に「公開禁止部分のため表示できません」などの文字情報を挿入するものが知られている。しかしながら、従来の技術では、マスクした部分に表示されるはずであった情報を間接的にも取得することができず、不便な場合があった。
【先行技術文献】
【特許文献】
【０００３】
【特許文献１】特開２００３−１５３２５２号公報
【特許文献２】特開２００４−６２５６０号公報
【特許文献３】特開２０１１−１９３１１５号公報
【特許文献４】特開２００５−３２３００７号公報
【特許文献５】再公表ＷＯ２００６／１１５１５６号公報
【特許文献６】特開２００１−６９４９４号公報
【特許文献７】特開２０１０−６２６９９号公報
【発明の概要】
【発明が解決しようとする課題】
【０００４】
本発明が解決しようとする課題は、監視カメラの一部をマスクするシステムにおける利便性を向上させることができる監視システム、監視方法、およびプログラムを提供することである。
【課題を解決するための手段】
【０００５】
実施形態の監視システムは、取得部と、抽出部と、暗号化処理部と、生成部と、を持つ。取得部は、提示された入力対象情報を入力端末に入力する作業エリアを撮像する一以上の監視カメラから、前記監視カメラにより撮像された撮像画像を取得する。抽出部は、前記取得部により取得された前記撮像画像の中から前記入力対象情報を抽出する。暗号化処理部は、前記抽出部により抽出された前記入力対象情報を暗号化する。生成部は、前記取得部により取得された前記撮像画像に対して、前記暗号化処理部により暗号化された情報を表示する部分画像を前記入力対象情報の位置に表示して、前記入力対象情報を視認不能とした置換画像を生成する。
【図面の簡単な説明】
【０００６】
【図１】実施形態の監視システム１の構成の一例を示す図。
【図２】シートＣの一例を示す図。
【図３】監視装置１００の構成の一例を示す図。
【図４】撮像画像の一例を示す図。
【図５】置換画像の一例を示す図。
【図６】監視装置１００による処理の一例を示すフローチャート。
【発明を実施するための形態】
【０００７】
以下、実施形態の監視システム、監視方法、およびプログラムを、図面を参照して説明する。
【０００８】
［全体構成］
図１は、実施形態の監視システム１の構成の一例を示す図である。監視システム１は、例えば、入力端末１０と、一以上の監視カメラ５０と、監視装置１００とを備える。監視カメラ５０と監視装置１００は、ネットワークＮＷによって互いに接続されており、このネットワークＮＷを介して互いに通信する。ネットワークＮＷは、例えば、ＷＡＮ（Wide Area Network）やＬＡＮ（Local Area Network）、インターネット、専用回線、無線基地局、プロバイダなどのうちの一部または全部を含む。
【０００９】
入力端末１０は、作業エリアＡに設置され、入力者Ｂにより操作される。入力者Ｂは、手元に入力対象情報が記載されているシートＣを用意する。入力者Ｂは、例えばキーボードを操作することにより、シートＣに記載されている入力対象情報を入力端末１０に入力する。なお、入力端末１０は、音声認識機能を備え、マイクにより収音された情報に基づいて入力対象情報が入力されてもよい。入力端末１０は、例えば、タブレット端末やパーソナルコンピュータなどである。
【００１０】
図２は、シートＣの一例を示す図である。シートＣには、入力対象情報Ｃ１が記載されている。入力対象情報Ｃ１は、例えば、１６個の文字あるいは数字であって、枠内に記載されている。なお、シートＣには、入力対象情報Ｃ１の識別情報や種別、日付などの付属情報が記載されてもよい。
【００１１】
監視カメラ５０は、作業エリアＡを撮像し、撮像画像データを生成する。撮像画像データは、静止画像データであってもよく、動画データであってもよい。以下、撮像画像データを、撮像画像と記載する場合もある。監視カメラ５０は、生成した撮像画像を、ネットワークＮＷを介して監視装置１００に送信する。監視カメラ５０は、例えば、作業エリアＡに複数設置されており、入力者Ｂの後ろ側から作業の様子を撮像する監視カメラ５１と、入力者Ｂの前側から入力者Ｂの顔を撮像する監視カメラ５２などを含む。なお、作業エリアＡは一つに限られず、複数であってもよい。また、複数の作業エリアＡは、同じ部屋に用意されてもよく、別の部屋にそれぞれ用意されてもよい。
【００１２】
監視員は、監視カメラ５０により撮像された撮像画像に対して監視装置１００により画像処理された画像を見ながら、作業エリアＡでの様子を監視する。
【００１３】
［監視装置］
図３は、監視装置１００の構成の一例を示す図である。監視装置１００は、例えば、通信装置１１０と、入力装置１２０と、表示装置１３０と、第１記憶部１４０と、第２記憶部１５０と、画像処理部１６０と、システム制御部１７０とを備える。
【００１４】
通信装置１１０は、セルラー網やＷｉ−Ｆｉ網等を用いて、ネットワークＮＷに接続するためのハードウェアを有する。例えば、通信装置１１０は、アンテナおよび送受信装置などを有する。入力装置１２０は、例えば、各種キー、ボタン、ダイヤルスイッチ、マウス、マイク、表示装置１３０と一体として形成されるタッチパネルなどのうち一部または全部を含む。表示装置１３０は、例えば、ＬＣＤ（Liquid Crystal Display）や有機ＥＬ（Electroluminescence）表示装置を含む。表示装置１３０は、スピーカーやランプなどを含んでもよい。
【００１５】
第１記憶部１４０と第２記憶部１５０は、例えば、ＲＡＭ（Random Access Memory）、フラッシュメモリ、ＳＤカード、レジスタなどによって実現される。第１記憶部１４０は、監視カメラ５０により生成された撮像画像を撮像画像データ１４１として一時的に格納する。また、第１記憶部１４０は、履歴データ１４２を格納する。履歴データ１４２は、入力対象情報と、この入力対象情報に基づいて生成された画像とを対応付けた情報である。第２記憶部１５０は、監視装置１００がネットワークを介してアクセス可能なＮＡＳ（Network Attached Storage）などの外部記憶装置であってもよい。第２記憶部１５０は、画像処理部１６０により生成された置換画像データ１５１と、履歴を格納する。
【００１６】
画像処理部１６０は、例えば、取得部１６１と、抽出部１６２と、暗号化処理部１６３と、生成部１６４と、判定部１６５と、削除部１６６とを備える。これらの構成要素のうち一部または全部は、例えば、ＣＰＵ（Central Processing Unit）などのプロセッサが、第１記憶部１４０に記憶されたプログラム（ソフトウェア）を実行することで実現される。また、これらの構成要素の機能のうち一部または全部は、ＬＳＩ（Large Scale Integration）やＡＳＩＣ（Application Specific Integrated Circuit）、ＦＰＧＡ（Field-Programmable Gate Array）、ＧＰＵ（Graphics Processing Unit）等のハードウェア（回路部：circuitryを含む）によって実現されていてもよいし、ソフトウェアとハードウェアの協働によって実現されていてもよい。プログラムは、予めＨＤＤ（Hard Disk Drive）やフラッシュメモリなどの記憶装置に格納されていてもよいし、ＤＶＤやＣＤ−ＲＯＭなどの着脱可能な記憶媒体に格納されており、記憶媒体がドライブ装置に装着されることでインストールされてもよい。
【００１７】
画像処理部１６０は、撮像画像が動画データである場合、動画データに含まれるフレームごとに、以下の処理を実行する。
【００１８】
取得部１６１は、通信装置１１０を用いて、監視カメラ５０から撮像画像を取得する。取得部１６１は、取得した撮像画像を第１記憶部１４０に一時的に格納する。撮像画像の一例を、図４に示す。図４に示す撮像画像Ｄ１０は、監視カメラ５１により入力者Ｂの後ろから撮像された画像である。
【００１９】
抽出部１６２は、取得部１６１により取得された撮像画像の中から入力対象情報を抽出する。例えば、抽出部１６２は、文字認識の技術を用いて撮像画像を画像解析することにより、入力対象情報の予め決められた形式に基づいて入力対象情報を認識するとともに、認識した入力対象情報を含む対象画像を抽出する。文字認識の技術とは、画像に含まれる文字や数字を認識する技術である。
【００２０】
「入力対象情報の予め決められた形式」には、例えば、所定数の文字で構成される文字列であること、所定数の数字で構成されること、文字と数字を組み合わせであって文字の位置と数字の位置が予め決められていることなどが含まれる。また、入力対象情報の予め決められた形式には、文字や数字の並び方が含まれていてもよく、文字や数字が横に一列に並んでいること、文字や数字が縦に二列に並んでいることなどが含まれる。
【００２１】
抽出部１６２は、例えば、「入力対象情報の予め決められた形式」に対応する入力エリアに基づいて、入力対象情報を抽出する。入力エリアには、例えば、図２に示したようなシートＣに印刷されている枠や、入力端末１０のモニターに表示される入力欄などが含まれる。こうすることにより、入力途中において入力対象の情報の一部がモニターに表示されている状態であっても、抽出部１６２は、入力対象情報を抽出することができる。また抽出部１６２は、撮像画像に含まれるすべての文字や数字を認識して、認識された文字や数字のうち入力対象情報の予め決められた形式に合致する文字や数字を、入力対象情報として抽出してもよい。
【００２２】
抽出部１６２は、抽出した入力対象情報を含む画像領域（以下、対象領域と記す）を決定し、対象領域の画像（以下、対象画像と記す）を切り出す。例えば、抽出部１６２は、入力エリアに沿って対象領域を決定する。これに限られず、抽出部１６２は、認識した文字や数字の外接最小矩形に沿って対象領域を決定してもよい。外接最小矩形とは、入力対象情報として認識した文字や数字の列（一つの文字や数字でもよい）がはみ出さないように設定される矩形図形であって、その面積が最小となる図形である。抽出部１６２は、入力エリアや外接最小矩形の外側に所定の余白を設けて、対象領域を決定してもよい。
【００２３】
例えば、抽出部１６２は、図４に示す撮像画像Ｄ１０から、シートＣに表示されている入力対象情報を含む対象画像Ｄ１１と、入力端末１０のモニターに表示されている入力対象情報を含む対象画像Ｄ１２とを抽出する。
【００２４】
暗号化処理部１６３は、抽出部１６２により抽出された入力対象情報を暗号化し、暗号情報を生成する。暗号情報は、文字（ひらがな、カタカナ、アルファベットなど）や数字などを含む。例えば、暗号化処理部１６３は、所定の暗号アルゴリズムを用いて入力対象情報を暗号化する。
【００２５】
暗号化処理には、様々なアルゴリズムが利用可能である。例えば、暗号化処理部１６３は、鍵情報を用いて暗号化するものであってもよく、所定のルールに従って暗号化するものであってもよい。また、暗号化処理部１６３は、暗号化処理において、復号のための鍵情報を生成してもよい。
【００２６】
生成部１６４は、暗号化処理部１６３により暗号化された情報に基づいて、部分画像を生成する。部分画像とは、例えば、入力対象情報が視認不能な画像であって、暗号化処理部１６３により生成された暗号情報を取得するための情報を表示する画像である。
【００２７】
生成部１６４は、塗りつぶし画像（マスク画像）に暗号情報を重畳させた部分画像を生成する。また、生成部１６４は、暗号情報をエンコードしたコード（一次元コードや二次元コードなどを含む）を表示する部分画像を生成してもよく、暗号情報が埋め込まれたモザイク画像を部分画像として生成してもよい。
【００２８】
またこれに限られず、部分画像は、入力対象情報が視認不能な画像であって、暗号化処理部１６３により暗号化された情報を復号するための鍵情報を取得するための情報を表示する画像であってもよい。例えば、生成部１６４は、塗りつぶし画像に鍵情報を重畳させた部分画像を生成する。また、生成部１６４は、鍵情報をエンコードしたコードを表示する部分画像を生成してもよく、鍵情報が埋め込まれたモザイク画像を部分画像として生成してもよい。
【００２９】
生成部１６４は、取得部１６１により取得された撮像画像に対して、対象画像に替えて、部分画像を対象領域に（入力対象情報の位置）表示して入力対象情報を視認不能とした置換画像を生成する。生成部１６４は、生成した置換画像を、システム制御部１７０に出力する。
【００３０】
図５は、置換画像の一例を示す図である。置換画像データＤ２０は、対象画像Ｄ１１と置き換えられた部分画像Ｄ２１と、対象画像Ｄ１２と置き換えられた部分画像Ｄ２２とを含む。
【００３１】
なお、図５に示す例では、部分画像Ｄ２１と部分画像Ｄ２２とが一緒であるがこれに限られない。例えば、入力対象情報の入力途中であれば、部分画像Ｄ２１と部分画像Ｄ２２とが異なる暗号情報を含む場合がある。具体的には、３文字が入力された時点で抽出される入力対象情報と、１０文字が入力された時点で抽出される入力対象情報とは異なる。このため、入力途中において暗号情報が変化し、置換画像において異なる画像が表示される場合や、一文字入力するごとにモニターに含まれる対象領域に表示される暗号情報が切り替わる場合がある。
【００３２】
生成部１６４は、抽出部１６２により抽出された入力対象情報と、この入力対象情報に基づいて生成された部分画像とを対応付けて、履歴データ１４２に格納する。
【００３３】
判定部１６５は、抽出部１６２により抽出された入力対象情報が、既に暗号化処理部１６３により暗号化された入力対象情報と合致するか否かを判定する。例えば、判定部１６５は、履歴データ１４２を参照し、抽出部１６２により抽出された入力対象情報が登録されているか否かを判定する。抽出された入力対象情報が既に暗号化された入力対象情報と合致することが判定部１６５により判定された場合、生成部１６４は、部分画像を生成する処理をせずに、履歴データ１４２から読み出した部分画像に基づいて、置換画像を生成する。
【００３４】
削除部１６６は、生成部１６４により置換画像が生成された場合、対応する撮像画像を第１記憶部１４０から削除する。また、削除部１６６は、格納期間が閾値を超えた撮像画像を削除してもよい。
【００３５】
復号処理部１６７は、入力装置１２０を用いて置換画像に含まれる暗号情報の復号が指示された場合、システム制御部１７０により入力する置換画像に基づいて、暗号情報を復号する。復号処理部１６７は、復号した情報をシステム制御部１７０に出力し、表示装置１３０に表示させる。
【００３６】
システム制御部１７０は、例えば、データ管理部１７１と、表示制御部１７２とを備える。これらの構成要素のうち一部または全部は、例えば、ＣＰＵなどのプロセッサが、第２記憶部１５０に記憶されたプログラム（ソフトウェア）を実行することで実現される。また、これらの構成要素の機能のうち一部または全部は、ＬＳＩやＡＳＩＣ、ＦＰＧＡ、ＧＰＵ等のハードウェアによって実現されていてもよいし、ソフトウェアとハードウェアの協働によって実現されていてもよい。
【００３７】
データ管理部１７１は、監視カメラ５０により撮像された撮像画像に替えて、生成部１６４により生成された置換画像を、第２記憶部１５０に格納する。
【００３８】
表示制御部１７２は、監視カメラ５０により撮像された撮像画像に替えて、生成部１６４により生成された置換画像を、表示装置１３０に表示させる。表示制御部１７２は、画像処理部１６０から入力された置換画像に基づいて表示装置１３０に表示させてもよく、データ管理部１７１により第２記憶部１５０に格納された置換画像を読み出して表示装置１３０に表示させてもよい。
【００３９】
また表示制御部１７２は、過去の画像の閲覧が指示された場合、第２記憶部１５０から指示された置換画像を読み出し、表示装置１３０に表示させる。入力装置１２０を用いて暗号情報の復号が指示された場合、表示制御部１７２は、復号処理部１６７により復号された入力対象情報を表示装置１３０に表示させる。
【００４０】
［フローチャート］
図６は、監視装置１００による処理の一例を示すフローチャートである。監視装置１００は、撮像画像ごとに、以下の処理を実行する。撮像画像が動画の一部である場合、監視装置１００は、動作に含まれるフレームごとに以下の処理を実行する。
【００４１】
まず、取得部１６１は、通信装置１１０を用いて、監視カメラ５０から撮像画像を取得する（ステップＳ１０１）。抽出部１６２は、取得部１６１により取得された撮像画像から入力対象情報を抽出する（ステップＳ１０２）。判定部１６５は、履歴データ１４２を参照し、抽出部１６２により抽出された入力対象情報が、既に暗号化処理部１６３により暗号化された入力対象情報と合致するか否かを判定する（ステップＳ１０３）。
【００４２】
抽出部１６２により抽出された入力対象情報が、既に暗号化処理部１６３により暗号化された入力対象情報と合致しない場合、抽出部１６２は、対象領域を決定し（ステップＳ１０４）、決定した対象領域を切り出す（ステップＳ１０５）。暗号化処理部１６３は、抽出部１６２により抽出された入力対象情報を暗号化する（ステップＳ１０６）。生成部１６４は、暗号化処理部１６３により暗号化された情報に基づいて、部分画像を生成する（ステップＳ１０７）。次いで、生成部１６４は、ステップＳ１０５において対象画像が切り出された対象領域に、部分画像を表示する置換画像を生成する（ステップＳ１０８）。そして、生成部１６４は、置換画像をシステム制御部１７０に出力する。
【００４３】
データ管理部１７１は、生成部１６４から出力された置換画像を、第２記憶部１５０に格納する（ステップＳ１０９）。表示制御部１７２は、生成部１６４により生成された置換画像を、表示部１３０に表示させる（ステップＳ１１０）。
【００４４】
一方、ステップＳ１０３において、抽出部１６２により抽出された入力対象情報が、既に暗号化処理部１６３により暗号化された入力対象情報と合致する場合、生成部１６４は、抽出部１６２により抽出された入力対象情報に対応付けられた部分画像を第１記憶部１４０から読み出し、読み出した部分画像に基づいて置換画像を生成する（ステップＳ１１１）。例えば、既に暗号化されている入力対象情報と同じ入力対象情報が撮像画像から抽出されたタイミングで、ステップＳ１１１が実行される。画像上のシートＣに表示されている入力対象情報は入力作業中変化しないため、生成部１６４は、入力対象情報が監視カメラ５０により撮像された際に最初に生成された部分画像を流用し、それ以降に撮像画像から抽出された入力対象情報に対応する対象領域に表示させる。
【００４５】
このように、監視装置１００は、入力対象情報が表示されていない置換画像を表示装置１３０に表示させることができる。よって、表示装置１３０を見ながら作業エリアＡを監視している監視員に対して、入力対象情報を秘密にすることができる。入力者Ｂには守秘義務が課せられている場合が多いが、監視員までには守秘義務が課せられていない場合もある。この場合に特に有益である。
【００４６】
また監視装置１００は、監視員によるほとんどリアルタイムでの監視時や、過去画像の閲覧時において、暗号情報等を含む置換画像を表示装置１３０に表示させることや、モニターを有する外部装置に送信することができる。こうすることにより、置換画像に表示されている暗号情報等を用いて、視認不能となっている入力対象情報を復号することにより、入力対象情報を取得することが可能となる。従って、後で入力対象情報を突き合わせて監視カメラ５０により撮像された撮像画像を確認したい場面が出てきた場合であっても、入力対象情報を簡単に取得することができる。一方、対象領域をマスク画像で置き換えただけの撮像画像である場合、後で入力対象情報を突き合わせて撮像画像を確認したい場面が出てきてもできないため、不便であった。
【００４７】
以上説明した少なくとも一つの実施形態によれば、提示された入力対象情報を入力端末に入力する作業エリアを撮像する一以上の監視カメラから、前記監視カメラにより撮像された撮像画像を取得する取得部と、前記取得部により取得された前記撮像画像の中から前記入力対象情報を抽出する抽出部と、前記抽出部により抽出された前記入力対象情報を暗号化する暗号化処理部と、前記取得部により取得された前記撮像画像に対して、前記暗号化処理部により暗号化された情報を表示する部分画像を前記入力対象情報の位置に表示して、前記入力対象情報を視認不能とした置換画像を生成する生成部と、を備えることにより、置換画面では入力対象情報を視認不能としつつ、入力対象情報を確認したい場合には確認することができる。よって、監視カメラの一部をマスクするシステムにおける利便性を向上させることができる。
【００４８】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【００４９】
例えば、画像処理部１６０は、撮像画像において対象領域を含む被写体に応じて、異なる処理を実行してもよい。例えば、対象領域を含む被写体がシートＣである場合と、対象領域を含む被写体が入力端末１０のモニターである場合とで、異なる処理を実行してもよい。画像内のシートＣ内の入力対象情報は変化しないが、モニター内の入力対象情報は入力作業に応じて変化するからである。以下、その具体例について説明する。
【００５０】
画像処理部１６０は、画像上のシートＣ内の部分画像を、画像上のシートＣ内から抽出された入力対象情報を暗号化した暗号情報に基づいて生成する。一方、画像処理部１６０は、画像上のモニターにおける部分画像を、画像上のモニター内から抽出された入力対象情報に替えて、画像上のシートＣ内から抽出された入力対象情報を暗号化した暗号情報に基づいて生成する。こうすることにより、暗号化処理の処理負荷を軽減させることができる。また、モニター内から抽出される入力対象情報は入力途中において変化するが、このような場面であっても、同じ暗号情報を含む部分画像を表示することができ、置換画面を見易くすることができる。
【００５１】
また暗号化処理部１６３は、所定の切り替えタイミングに到達した場合、撮像画像を暗号化するアルゴリズムを変更してもよい。所定の切り替えタイミングとは、所定時間が経過した場合、抽出される入力対象情報が前回抽出された入力対象情報と異なる場合、入力対象情報の予め決められた形式が前回の形式と異なる場合などが含まれる。また暗号化処理部１６３は、入力対象情報の予め決められた形式に応じて、撮像画像を暗号化するアルゴリズムを変更してもよい。
【符号の説明】
【００５２】
１…監視システム、１０…入力端末、５０…監視カメラ、１００…監視装置、１１０…通信装置、１２０…入力装置、１３０…表示装置、１４０…第１記憶部、１５０…第２記憶部、１６０…画像処理部、１６１…取得部、１６２…抽出部、１６３…暗号化処理部、１６４…生成部、１６５…判定部、１６６…削除部、１７０…システム制御部、１７１…データ管理部、１７２…表示制御部
【図１】
2020031280.tif 000003
【図２】
2020031280.tif 000004
【図３】
2020031280.tif 000005
【図４】
2020031280.tif 000006
【図５】
2020031280.tif 000007
【図６】
2020031280.tif 000008